(57)【特許請求の範囲】
【請求項１】
複数のインレットと、１つのインレットの位置に対応して設けられた１つのマークとを備える券紙を搬送する搬送部と、
前記券紙から前記マークを読み取る読取部と、
前記マークの位置から定まる前記券紙のカット位置で前記券紙をカットすることによって前記券紙に印刷領域を形成するために、前記マークの位置に基づき前記搬送部が前記券紙を搬送する搬送量を制御する制御部と、
前記搬送部によって前記搬送量、搬送される前記券紙をカットするカット部と、
前記カット部のカットにより前記券紙から得られる券媒体のカット端から定まる前記券媒体上の前記印刷領域へ情報を印刷する印刷部と、
を備え、
前記制御部は、前記券媒体において前記印刷領域がインレットと重ならないように、前記搬送量を制御する、
発行ユニット。
【請求項２】
前記マークは、各インレットに対して１つ存在する、
前記請求項１に記載の発行ユニット。
【請求項３】
前記インレットは、前記券紙に一定間隔で配置され、
前記搬送量は、一定量である、
前記請求項１又は２の何れか１項に記載の発行ユニット。
【請求項４】
前記カット部は、前記インレットが前記券媒体の両端の何れかに配置される位置で前記券紙をカットする、
前記請求項１乃至３の何れか１項に記載の発行ユニット。
【請求項５】
前記印刷部は、前記券媒体の前記インレットと重ならない前記印刷領域に前記情報を印刷する、
前記請求項１乃至４の何れか１項に記載の発行ユニット。
【請求項６】
前記情報は、乗車券情報を示す二次元コードである、
前記請求項１乃至５の何れか１項に記載の発行ユニット。
【請求項７】
請求項１乃至６の何れか１項に記載の発行ユニットと、
前記発行ユニットに前記券媒体を発行させる発行操作の入力を受け付ける操作部と、
を備える発行機。
【発明の詳細な説明】
【技術分野】
【０００１】
本発明の実施形態は、発行ユニット及び発行機に関する。
【背景技術】
【０００２】
駅などに設置される発行機には、ＲＦ−ＩＤ（radio frequency identifier）インレットを備える券紙を用いて二次元コード等が印刷された乗車券など券媒体を発行するものがある。発行機は、券媒体を加熱することで、券媒体に二次元コード等を印刷する。従来、発行機は、二次元コード等の印刷のための加熱によって、ＲＦ−ＩＤインレットを破損してしまう危険がある。
【先行技術文献】
【特許文献】
【０００３】
【特許文献１】特開２００６−３２６９９４号
【発明の概要】
【発明が解決しようとする課題】
【０００４】
上記の課題を解決するため、インレットの破損を防止することができる発行ユニット及び発行機を提供する。
【課題を解決するための手段】
【０００５】
実施形態によれば、発行ユニットは、搬送部と、読取部と、制御部と、カット部と、印刷部と、を備える。搬送部は、複数のインレットと、１つのインレットの位置に対応して設けられた１つのマークとを備える券紙を搬送する。読取部は、前記券紙から前記マークを読み取る。制御部は、前記マークの位置から定まる前記券紙のカット位置で前記券紙をカットすることによって前記券紙に印刷領域を形成するために、前記マークの位置に基づき前記搬送部が前記券紙を搬送する搬送量を制御する。カット部は、前記搬送部によって前記搬送量、搬送される前記券紙をカットする。印刷部は、前記カット部のカットにより前記券紙から得られる券媒体のカット端から定まる前記券媒体上の前記印刷領域へ情報を印刷する。前記制御部は、前記券媒体において前記印刷領域がインレットと重ならないように、前記搬送量を制御する。
【図面の簡単な説明】
【０００６】
【図１】図１は、実施形態に係る発行機の構成例を示すブロック図である。
【図２】図２は、実施形態に係る発行部の構成例を示す図である。
【図３】図３は、実施形態に係るＲＦ−ＩＤインレットを備える券紙の構成例を示す図である。
【図４】図４は、実施形態に係る券媒体の構成例を示す図である。
【発明を実施するための形態】
【０００７】
以下、図面を参照しながら実施形態について説明する。
【０００８】
実施形態に係る発行機は、利用者に対して種々の券媒体を発行する。たとえば、発行機は、駅などに設置される自動券売機として用いられる。この場合、発行機は、利用客又は係員などの操作に基づいて、券媒体として乗車券又は特急券などを発行する。また、発行機は、精算機として用いられる。この場合、発行機は、利用客又は係員などの操作に基づいて、券媒体として精算券などを発行する。
【０００９】
また、発行機は、券媒体としてテーマパーク又は映画館などのチケットを発行してもよい。また、発行機は、券媒体として飲食店などで食券を発行してもよい。
【００１０】
券売機が用いられる用途及び券媒体の内容は、特定の構成に限定されるものではない。
【００１１】
図１は、実施形態に係る発行機１の構成例を示すブロック図である。  
図１が示すように、発行機１は、ＣＰＵ１１、ＲＯＭ１２、ＲＡＭ１３、ＮＶＭ１４、通信部１５、表示部１６、操作部１７、磁気券処理部１８、カードリーダライタ１９、金額処理部２０、発行部２１及び排出部２２などを備える。発行機１は、データバスなどを介してＣＰＵ１１と、ＲＯＭ１２、ＲＡＭ１３、ＮＶＭ１４、通信部１５、表示部１６、操作部１７、磁気券処理部１８、カードリーダライタ１９、金額処理部２０、及び、発行部２１とを通信可能に接続する。
【００１２】
ＣＰＵ１１（制御部）は、発行機１全体の動作（発券処理含む）を制御する機能を有する。ＣＰＵ１１は、内部キャッシュおよび各種のインターフェースなどを備えても良い。ＣＰＵ１１は、内部メモリ、ＲＯＭ１２あるいはＮＶＭ１４に予め記憶したプログラムを実行することにより種々の処理を実現する。
【００１３】
なお、ＣＰＵ１１がプログラムを実行することにより実現する各種の機能のうちの一部は、ハードウエア回路により実現されるものであっても良い。この場合、ＣＰＵ１１は、ハードウエア回路により実行される機能を制御する。
【００１４】
ＲＯＭ１２は、予め制御用のプログラム及び制御データなどが記憶された不揮発性のメモリである。ＲＯＭ１２に記憶される制御プログラム及び制御データは、予め発行機１の仕様に応じて組み込まれる。ＲＯＭ１２は、たとえば、発行機１の回路基板を制御するプログラム（例えば、ＢＩＯＳ）などを格納している。
【００１５】
ＲＡＭ１３は、揮発性のメモリである。ＲＡＭ１３は、ＣＰＵ１１の処理中のデータなどを一時的に格納する。ＲＡＭ１３は、ＣＰＵ１１からの命令に基づき種々のアプリケーションプログラムを格納している。また、ＲＡＭ１３は、アプリケーションプログラムの実行に必要なデータ及びアプリケーションプログラムの実行結果などを格納してもよい。
【００１６】
ＮＶＭ１４は、データの書き込み及び書き換えが可能な不揮発性のメモリである。ＮＶＭ１４は、例えばＥＥＰＲＯＭ（Electric Erasable Programmable Read-Only Memory）、ＨＤＤ（Hard Disc Drive）、あるいはＳＳＤ（Solid State Drive）などである。ＮＶＭ１４は、発行機１の運用用途に応じて制御プログラム、アプリケーション、及び種々のデータを格納する。また、ＮＶＭ１４は、ＣＰＵ１１が種々の処理を実行することで生成したデータを保存する。
【００１７】
通信部１５は、上位装置としてのホストコンピュータなどとの通信を行うインターフェースである。
【００１８】
表示部１６は、ＣＰＵ１１からの信号に基づいて種々の情報を表示するものである。たとえば、表示部１６は、乗車券を選択するアイコンなどを表示してもよい。表示部１６は、たとえば、液晶ディスプレイなどである。
【００１９】
操作部１７は、発行機１の操作者によって、種々の指示が入力される。たとえば、操作部１７は、発行部２１に券媒体２を発行させる発行操作の入力を受け付ける。操作部１７は、操作者に入力された指示のデータをＣＰＵ１１へ送信する。操作部１７は、たとえば、キーボード、テンキー、及び、タッチパネルなどである。
【００２０】
なお、表示部１６と操作部１７とは、一体的に形成されてもよい。即ち、表示部１６は、指示を入力するためのアイコンを表示し、操作部１７は、アイコンがタッチされることで指示の入力を受け付けてもよい。
【００２１】
磁気券処理部１８は、磁気定期券に記録されている磁気情報を読み取り、又は、磁気定期券に磁気情報を書き込む。
【００２２】
カードリーダライタ１９は、ＩＣカードに記録されている情報を読み取り、又は、ＩＣカードに情報を書き込む。
【００２３】
金額処理部２０は、駅の係員が投入した現金あるいは金額カード（プリペイドカードやクレジットカード）を処理するものである。たとえば、金額処理部２０は、駅の係員が投入した現金を集計し、駅の係員が投入した現金の金額を決定する。また、金額処理部２０は、釣銭を放出する機能を有する。たとえば、金額処理部２０は、ＣＰＵ１１からの命令に基づいて、釣銭を放出する。
【００２４】
発行部２１（発行ユニット）は、ＣＰＵ１１の制御に基づいて、発券処理等を実行し、例えば乗車券情報が印刷された券媒体２を発行する。乗車券情報は、利用可能な乗車区間などを示す。たとえば、乗車券情報は、発着駅、有効期間、及び、有効区間などを備える。有効区間は、たとえば、終着駅又は乗車料金などである。乗車券情報は、鉄道会社などを備えてもよい。乗車券情報は、特定の構成に限定されるものではない。
【００２５】
また、発行部２１は、乗車券情報を二次元コードとして券媒体２に印刷する。
【００２６】
発行部２１については後述する。
【００２７】
排出部２２は、発行部２１が券媒体２を利用者へ提供する。たとえば、排出部２２は、利用者が取得可能なように券媒体２を露出させる。たとえば、排出部２２は、外部に露出する受け皿などである。
【００２８】
なお、発行機１は、上述した構成以外の構成要素を適宜追加しても良いし、特定の構成を除外してもよい。
【００２９】
券媒体２は、発行機１が発行する券媒体である。券媒体２については、後述する。
【００３０】
次に、発行部２１の構成例について説明する。  
図２は、発行部２１の構成例を示す。  
図２が示すように、発行部２１は、収容部３１、カット部３２、マーク検知部３３、印刷部３４、及び搬送部３６などを備える。
【００３１】
収容部３１は、券媒体２を構成する券紙４０を収容し、収容した券紙４０を供給する。収容部３１は、券紙４０をロール状に収容する。収容部３１は、ロール状の券紙４０を支える軸、及び券紙４０を送り出して供給する搬送ローラなどを備えてもよい。たとえば、収容部３１は、ＣＰＵ１１からの信号に基づいて軸又は搬送ローラなどを回転させ、券紙４０の先端を排出する。
【００３２】
図３は、券紙４０の構成例を示す。
【００３３】
券紙４０は、ベルト状の感熱媒体である。券紙４０は、外部から熱を加えられると、加えられた部分が所定の色に変化する。たとえば、券紙４０は、熱により黒色に変化する。たとえば、券紙４０は、紙、プラスチック、又は、ビニールなどである。たとえば、券紙４０は、乗車券情報が印刷されるロイコ層などを備える。ロイコ層は、外部からの熱によって色が変化する層である。
【００３４】
図３が示すように、券紙４０は、ＲＦ−ＩＤインレット４１、バーマーク４４、及び、印刷領域４５などを備える。
【００３５】
ＲＦ−ＩＤインレット４１（インレット）は、所定の間隔で券紙４０に埋め込まれる。たとえば、ＲＦ−ＩＤインレット４１は、一定間隔で券紙４０に配置される。
【００３６】
ＲＦ−ＩＤインレット４１は、券紙４０を構成する複数の層の間に埋め込まれる。また、ＲＦ−ＩＤインレット４１は、１枚の券媒体２に少なくとも１つのＲＦ−ＩＤインレット４１が埋め込まれるように、券紙４０に配置される。たとえば、ＲＦ−ＩＤインレット４１は、券紙４０を券媒体２に切り出す幅と同様の間隔で券紙４０に埋め込まれる。
【００３７】
ＲＦ−ＩＤインレット４１は、外部装置へ無線で乗車券情報などを送信する。たとえば、ＲＦ−ＩＤインレット４１は、券媒体２の発行時などにおいて、発行機１によって無線で乗車券情報を書き込まれる。ＲＦ−ＩＤインレット４１は、改札機などの外部装置へ、書き込まれた乗車券情報を無線で送信する。
【００３８】
ＲＦ−ＩＤインレット４１は、ＲＦ−ＩＤチップ４２及びアンテナ４３などを備える。
【００３９】
ＲＦ−ＩＤチップ４２は、ＲＦ−ＩＤインレット４１全体を制御する制御部である。ＲＦ−ＩＤチップ４２は、たとえば、ＣＰＵ、ＲＯＭ及びＲＡＭなどを備えてもよい。
【００４０】
アンテナ４３は、外部装置と無線で通信するためのアンテナである。また、アンテナ４３は、外部装置から電力の供給を受けるためにも使用される。たとえば、アンテナ４３は、所定の領域に網目状に形成されてもよい。また、アンテナ４３は、所定の領域に環状に形成されてもよい。
【００４１】
ＲＦ−ＩＤインレット４１は、外部装置から非接触で電力などの供給を受けて活性化される（動作可能な状態になる）。ＲＦ−ＩＤインレット４１は、通信インターフェースとしてのアンテナ４３及び変復調回路などを介して外部装置からの電波を受信し、その電波から図示しない電源部により動作電源及び動作クロックを生成して活性化する。
【００４２】
ＲＦ−ＩＤインレット４１が活性化すると、ＲＦ−ＩＤチップ４２は、アンテナ４３を通じて外部装置とデータ通信することができる。たとえば、ＲＦ−ＩＤチップ４２は、アンテナ４３を通じて発行機１などが備える通信ユニットなどから乗車券情報などを受信し、内部に格納する。また、ＲＦ−ＩＤチップ４２は、アンテナ４３を通じて改札機などが備える通信ユニットなどへ乗車券情報などを送信する。
【００４３】
例えば、バーマーク４４（マーク）は、ＲＦ−ＩＤインレット４１の位置を示す。バーマーク４４は、１つのＲＦ−ＩＤインレット４１に対して１つ存在する。また、バーマーク４４は、所定個数（例えば、２個又は３個）のＲＦ−ＩＤインレット４１に対して１つ存在してもよい。即ち、ＲＦ−ＩＤインレット４１の配置間隔が一定であるのに対して、バーマーク４４の配置間隔も一定であれば、ＲＦ−ＩＤインレット４１の配置間隔とバーマーク４４の配置間隔とが異なっていても良い。
【００４４】
図３が示す例においては、バーマーク４４は、ＲＦ−ＩＤインレット４１に対応する位置に印刷される。即ち、ＲＦ−ＩＤインレット４１は、バーマーク４４が存在する位置に対応して配置される。例えば、バーマーク４４は、ＲＦ−ＩＤインレット４１から一定の間隔を空けて印刷されてもよい。バーマーク４４の位置とＲＦ−ＩＤインレット４１の位置との関係は、特定の構成に限定されるものではない。
【００４５】
図３が示す例においては、バーマーク４４は、四角形に形成される。バーマーク４４は、三角、丸、他の多角形であってもよいし、所定のマークなどであってもよい。バーマーク４４の形状は、特定の構成に限定されるものではない。
【００４６】
また、バーマーク４４は、乗車券情報などが印刷される面（ロイコ層）に印刷される。バーマーク４４は、裏面（ロイコ層でない面）に印刷されてもよい。
【００４７】
ロイコ層に印刷される場合、バーマーク４４は、熱によって印刷されてもよい。また、裏面に印刷される場合、バーマーク４４は、インクによって印刷されてもよい。
【００４８】
また、バーマーク４４は、不可視であってもよい。
【００４９】
印刷領域４５は、熱による印刷が可能な領域である。図３が示すように、印刷領域４５は、ＲＦ−ＩＤインレット４１と重ならない領域又はＲＦ−ＩＤインレット４１から所定距離離れた領域である。ＲＦ−ＩＤインレット４１は、熱によって破損する恐れがあるため、ＲＦ−ＩＤインレット４１上又はＲＦ−ＩＤインレット４１の近くに乗車券情報などを印刷するとＲＦ−ＩＤインレット４１が破損する恐れがある。そのため、印刷領域４５は、上記の領域に設定される。
【００５０】
ＲＦ−ＩＤインレット４１及びバーマーク４４は、券紙４０の製造時において、券紙４０に形成される。即ち、券紙４０は、ＲＦ−ＩＤインレット４１及びバーマーク４４を有する状態で、収容部３１に収容される。
【００５１】
カット部３２は、搬送部３６の搬送路上で、券紙４０から所定の長さの券媒体２を切り出す。カット部３２は、券媒体２の所定の位置にＲＦ−ＩＤインレット４１が配置されるように、券紙４０をカットする。たとえば、カット部３２は、券紙４０をカットする刃などを備える。
【００５２】
カット部３２によってカットされた券紙４０は、券媒体２として搬送部３６によって搬送される。
【００５３】
カット部３２は、マーク検知部３３よりも上流に位置する。ここでは、上流は、収容部３１側を示す。
【００５４】
マーク検知部３３（読取部）は、搬送部３６の搬送路上で、券紙４０からバーマーク４４を読み取る。たとえば、マーク検知部３３は、光を対象物に照射しその反射光を取得することで、バーマーク４４を読み取る。なお、バーマーク４４が不可視である場合、マーク検知部３３は、バーマーク４４を読み取ることができる不可視光を用いてバーマーク４４を読み取る。
【００５５】
マーク検知部３３は、カット部３２よりも下流に配置される。ここでは、下流は、排出部２２側を示す。
【００５６】
印刷部３４は、ＣＰＵ１１からの信号に基づいて券媒体２に乗車券情報を印刷する。たとえば、印刷部３４は、乗車券情報として、文字又は二次元コードなどを印刷する。印刷部３４は、券媒体２を加熱することで券媒体２に文字又は二次元コードする。
【００５７】
印刷部３４は、乗車券情報を示す二次元コード（乗車券コード）を券媒体２の印刷領域４５に印刷する。また、印刷部３４は印刷領域４５に乗車券情報を示す文字又は数字などを印刷してもよい。
【００５８】
印刷部３４は、券媒体２のカット端から定まる前記券媒体上の印刷領域へ情報を印刷する。印刷部３４は、たとえば、券媒体２の一端から所定の領域を印刷領域４５として、乗車券情報を印刷する。印刷部３４は、券媒体２が搬送されたことを検知するセンサなどを備えてもよい。
【００５９】
なお、印刷部３４は、乗車券情報以外の情報を印刷領域４５に印刷してもよい。印刷部３４が印刷する内容は、特定の構成に限定されるものではない。
【００６０】
印刷部３４は、カット部３２の下流に配置される。即ち、印刷部３４は、カット部３２が券媒体２を切り出した後に、券媒体２に印刷する。
【００６１】
搬送部３６は、発行部２１内で券紙４０を搬送する。たとえば、搬送部３６は、券紙４０を収容部３１から、カット部３２、マーク検知部３３、及び、印刷部３４へ搬送する。なお、搬送部３６は、カット部３２まで券紙４０の先端を搬送してもよい。また、搬送部３６は、券紙４０から切り出された券媒体２を排出部２２まで搬送してもよい。
【００６２】
搬送部３６は、たとえば、搬送ローラ、搬送ベルト、又は、ピックアップローラなどを備えてもよい。また、搬送部３６は、ステッピングモータなどを備え、ステップごとに券媒体２を搬送してもよい。
【００６３】
次に、ＣＰＵ１１が実現する機能について説明する。
【００６４】
ＣＰＵ１１は、マーク検知部３３を用いて、券紙４０からバーマーク４４を読み取る。
【００６５】
たとえば、ＣＰＵ１１は、搬送部３６が券紙４０の先端を搬送している間に、マーク検知部３３を用いて券紙４０からバーマーク４４を読み取る。
【００６６】
また、ＣＰＵ１１は、バーマーク４４の位置から定まるカット位置で券紙４０をカットするために、前記バーマーク４４の位置に基づいて、搬送部３６が券紙４０を搬送する搬送量を制御する機能を有する。
【００６７】
即ち、ＣＰＵ１１は、マーク検知部３３がバーマーク４４を検知すると、搬送部３６を用いて、券紙４０を所定の搬送量、搬送する。たとえば、ＣＰＵ１１は、搬送部３６のステッピングモータを所定の距離に対応するステップ分回転させることで、券紙４０を所定の距離、搬送する。
【００６８】
カット位置は、カット部３２が券紙４０をカットした場合に券媒体２の所定の位置にＲＦ−ＩＤインレット４１が配置されるように決定される。即ち、ＣＰＵ１１は、カット位置で券紙４０をカットすることで、所定の位置にＲＦ−ＩＤインレット４１を備える券媒体２を切り出すことができる。たとえば、カット位置は、ＲＦ−ＩＤインレット４１とバーマーク４４との位置関係、及び／又は、券媒体２の幅などによって決定される。
【００６９】
搬送量は、カット部３２がカット位置で券紙４０をカットするために、券紙４０を搬送する距離である。即ち、ＣＰＵ１１は、バーマーク４４を検知してから、搬送量、券紙４０を搬送した後にカット部３２を用いて券紙４０をカットすると、カット位置で券紙４０をカットすることができる。
【００７０】
たとえば、搬送量は、カット部３２の位置、マーク検知部３３の位置、及び／又は、カット位置などによって決定される。たとえば、搬送量は、所定の一定量であってもよい。
【００７１】
また、ＲＦ−ＩＤインレット４１が配置される所定の位置は、券媒体２の両端の何れかであってもよし、券媒体２の中央部であってもよい。ＲＦ−ＩＤインレット４１が配置される所定の位置は、特定の構成に限定されるものではない。
【００７２】
なお、ＣＰＵ１１は、カット部３２が券紙４０をカットするタイミングを制御することで搬送量を制御してもよい。たとえば、搬送部３６は、一定の速度で券紙４０を搬送する。ＣＰＵ１１は、搬送部３６が搬送量、券紙４０を搬送したタイミングでカット部３２を用いて券紙４０をカットしてもよい。
【００７３】
また、ＣＰＵ１１は、搬送部３６が券紙４０を搬送する速度を制御してもよい。たとえば、カット部３２は、所定のタイミングで券紙４０をカットする。ＣＰＵ１１は、カット部３２が券紙４０をカットするまでに、搬送部３６が搬送量、券紙４０を搬送できるように、搬送部３６が券紙４０を搬送する速度を制御してもよい。
【００７４】
また、ＣＰＵ１１は、カット部３２を用いて、マーク検知部３３がバーマーク４４を検知してから所定の距離搬送された券紙４０を切り出す機能を有する。
【００７５】
即ち、ＣＰＵ１１は、搬送部３６を用いて所定の距離、券紙４０を搬送すると、カット部３２を用いて券紙４０から券媒体２を切り出す。
【００７６】
なお、所定の距離は、０であってもよい。即ち、ＣＰＵ１１は、マーク検知部３３がバーマーク４４を検知すると同時に、カット部３２を用いて券紙４０から券媒体２を切り出してもよい。
【００７７】
次に、発行機１の動作例について説明する。
【００７８】
ここでは、発行機１の収容部３１は、券紙４０を格納しているものとする。なお、発行機１のＣＰＵ１１は、収容部３１から券紙４０を取出し、カット部３２まで券紙４０の先端を搬送しておいてもよい。
【００７９】
まず、ＣＰＵ１１は、操作部１７を通じて券媒体２を発行させる発行操作を受け付けるまで待機する。
【００８０】
ＣＰＵ１１は、操作部１７を通じて、発行操作として、利用者から乗車券情報の入力を受け付ける。発行操作を受け付けると、ＣＰＵ１１は、カードリーダライタ１９又は金額処理部２０を通じて、発券操作によって受け付けられた乗車券情報に対応する乗車料金の支払いを受け付ける。
【００８１】
乗車料金の支払いを受け付けると、ＣＰＵ１１は、搬送部３６を動作させ、券紙４０の先端を下流に搬送する。即ち、ＣＰＵ１１は、券紙４０の先端をカット部３２及びマーク検知部３３を通過させるように搬送する。
【００８２】
ＣＰＵ１１は、マーク検知部３３を通じて、バーマーク４４を読み取ることができるまで待機する。
【００８３】
バーマーク４４を読み取ると、ＣＰＵ１１は、搬送部３６を動作させ、券紙４０の先端を所定の距離、搬送する。券紙４０の先端を所定の距離、搬送すると、ＣＰＵ１１は、カット部３２を用いて、券紙４０から券媒体２を切り出す。
【００８４】
券媒体２を切り出すと、ＣＰＵ１１は、搬送部３６を用いて券媒体２を印刷部３４の位置まで搬送する。即ち、ＣＰＵ１１は、印刷部３４が乗車券コードを印刷することができる位置まで券媒体２を搬送する。
【００８５】
券媒体２を印刷部３４の位置まで搬送すると、ＣＰＵ１１は、印刷部３４を用いて乗車券コードを券媒体２の印刷領域４５に印刷する。たとえば、ＣＰＵ１１は、入力された乗車券情報を示す乗車券コードを生成する。ＣＰＵ１１は、印刷部３４を用いて、生成された乗車券コードを券媒体２の印刷領域４５に印刷する。
【００８６】
乗車券コードを券媒体２の印刷領域４５に印刷すると、ＣＰＵ１１は、たとえば搬送部３６を用いて、券媒体２を排出部２２へ搬送する。ＣＰＵ１１は、排出部２２を通じて外部へ券媒体２を放出する。
【００８７】
券媒体２を排出部２２へ放出すると、ＣＰＵ１１は、動作を終了する。
【００８８】
次に、排出部２２から放出された券媒体２について説明する。  
図４は、排出部２２から放出された券媒体２の構成例を示す。  
図４が示すように、券媒体２は、ＲＦ−ＩＤインレット４１、バーマーク４４、及び、印刷領域４５などを備える。
【００８９】
券媒体２は、ＲＦ−ＩＤインレット４１が所定の位置になるように形成される。図４が示す例においては、ＲＦ−ＩＤインレット４１は、券媒体２の右側に配置される。なお、ＲＦ−ＩＤインレット４１は、券媒体２の左側に配置されてもよいし、中央部に配置されてもよい。ＲＦ−ＩＤインレット４１が配置される位置は、特定の構成に限定されるものではない。
【００９０】
ＲＦ−ＩＤインレット４１及びバーマーク４４は、前述の通りである。
【００９１】
印刷領域４５は、印刷部３４によって種々の情報が印刷される領域である。印刷領域４５は、乗車券コード４５ａ、及び、印字情報４５ｂなどを備える。
【００９２】
乗車券コード４５ａは、乗車券情報を示す二次元コードである。乗車券コード４５ａは、発券操作で入力された乗車券情報を示す。
【００９３】
印字情報４５ｂは、券媒体２に印刷される文字列などである。印字情報４５ｂは、乗車券情報の一部などであってもよい。図４が示す例においては、印字情報４５ｂは、鉄道会社名、発行駅名及び料金を示す。印字情報４５ｂの内容は、特定の内容に限定されるものではない。
【００９４】
なお、上述のＣＰＵ１１の動作の一部又は全ては、発行部２１が備える制御部などが実現してもよい。
【００９５】
また、カット部３２は、マーク検知部３３の下流にあってもよい。
【００９６】
また、券紙４０は、複数のＲＦ−ＩＤインレット４１に対して１つのバーマーク４４を備えてもよい。この場合、ＣＰＵ１１は、バーマーク４４に従って券紙４０を切り出した後に、券媒体２の幅で券紙４０を切り出してもよい。
【００９７】
以上のように構成された発行機は、ＲＦ−ＩＤインレットの位置を示すバーマークに従って券紙を切り出すことができる。その結果、発行機は、ＲＦ−ＩＤインレットを所定の位置に有する券媒体を形成することができる。そのため、発券機は、熱による印刷領域をＲＦ−ＩＤインレットがある位置を避けて設定することができる。したがって、発行機は、印刷の熱によるインレットの破損を防止することができる。
【００９８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に本件出願当初の特許請求の範囲に記載された発明を付記する。
［Ｃ１］
複数のインレットと、１つのインレットの位置に対応して設けられた１つのマークとを備える券紙を搬送する搬送部と、
前記券紙から前記マークを読み取る読取部と、
前記マークの位置から定まる前記券紙のカット位置で前記券紙をカットするために、前記マークの位置に基づき前記搬送部が前記券紙を搬送する搬送量を制御する制御部と、
前記搬送部によって前記搬送量、搬送される前記券紙をカットするカット部と、
前記カット部のカットにより前記券紙から得られる券媒体のカット端から定まる前記券媒体上の印刷領域へ情報を印刷する印刷部と、
を備える発行ユニット。
［Ｃ２］
前記マークは、各インレットに対して１つ存在する、
前記Ｃ１に記載の発行ユニット。
［Ｃ３］
前記インレットは、前記券紙に一定間隔で配置され、
前記搬送量は、一定量である、
前記Ｃ１又は２の何れか１項に記載の発行ユニット。
［Ｃ４］
前記カット部は、前記インレットが前記券媒体の両端の何れかに配置される位置で前記券紙をカットする、
前記Ｃ１乃至３の何れか１項に記載の発行ユニット。
［Ｃ５］
前記印刷部は、前記券媒体の前記インレットと重ならない前記印刷領域に前記情報を印刷する、
前記Ｃ１乃至４の何れか１項に記載の発行ユニット。
［Ｃ６］
前記情報は、乗車券情報を示す二次元コードである、
前記Ｃ１乃至５の何れか１項に記載の発行ユニット。
［Ｃ７］
Ｃ１乃至６の何れか１項に記載の発行ユニットと、
前記発行ユニットに前記券媒体を発行させる発行操作の入力を受け付ける操作部と、
を備える発行機。
【符号の説明】
【００９９】
１…発行機、２…券媒体、１１…ＣＰＵ、１６…表示部、１７…操作部、２０…金額処理部、２１…発行部、２２…排出部、３１…収容部、３２…カット部、３３…マーク検知部、３４…印刷部、３６…搬送部、４０…券紙、４１…ＲＦ−ＩＤインレット、４２…ＲＦ−ＩＤチップ、４３…アンテナ、４５…印刷領域、４５ａ…乗車券コード、４５ｂ…印字情報。
【図１】
0006479511.tif 000002
【図２】
0006479511.tif 000003
【図３】
0006479511.tif 000004
【図４】
0006479511.tif 000005